(57)【特許請求の範囲】
【請求項１】
装着対象となる通気口の開口面積及び外形と略同一のサイズ及び外形を有する盤状に形成されると共に、少なくともその中央領域に外周辺縁域に形成された鍔部の肉厚よりも薄肉なディンプルを有するネット構造にされた可撓性材からなることを特徴とする防虫換気用フィルタ。
【請求項２】
一端が閉じられた筒状のネットを外向きに捲回積層して外周辺縁域の鍔部を形成したことを特徴とする請求項１に記載の防虫換気用フィルタ。
【発明の詳細な説明】
【技術分野】
【０００１】
本発明は、例えば、霊廟の納骨室内の通気口等に装着して使用される防虫換気フィルタに関するものである。
【背景技術】
【０００２】
一般的に納骨室内は結露等により湿度が高く、空気が淀み、雑菌の繁殖等により異臭が発生する。また、ゲジやムカデなどの湿気を好む昆虫が発生する温床となる。そこで、従来の納骨室では、カビや悪臭が発生するのを防ぐための外部との通気口を設けたり、納骨室内に除湿剤を設置する方法が採られている。
【０００３】
とくに、納骨室を強制的に換気して除湿するべく、太陽電池や商用電源からの電力の供給を受けて駆動するファンユニットを備えた吸排気ダクト等を設置した納骨室を備えた墓所等が提案されている（例えば、特許文献１及び特許文献２参照。）。このような納骨室には外部と連通する通気口が設けられているため、前記した虫等がこの通気口から納骨室内に侵入する。
【０００４】
そこで、通気口を通って外部から虫、異物、湿気、植物の種子等が納骨室内に侵入しないように、通気口にはフィルタが取り付けられる。このようなフィルタとして、例えば、特許文献３には、通気穴にフィルタが取り付けられた通気構造を備えた圧力センサ内蔵型ガスメータが開示されており、通気性及び防湿性を備えたシートが、メータケースにネジ止め固定されたプレートによって通気穴に取り付けられている。特許文献４に開示された圧力センサ内蔵型ガスメータでは、円錐筒型のソケットの内部に虫侵入防止用の網を取り付け、このソケットを通気穴に差し込むことにより異物の侵入を防いでいる。特許文献５に開示されたマイコンガスメータでは、ブッシュにリード線挿通部と微細通気孔が形成され、ブッシュを挿通孔に取り付けることにより、異物の侵入を防いでいる。
【０００５】
【特許文献１】特開平９−４９３４７号公報
【特許文献２】特許第２６３１８３４号公報
【特許文献３】特許第３６６２３４３号公報
【特許文献４】特開２００１−２１５１４２号公報
【特許文献５】特開平８−３２７４２５号公報
【発明の概要】
【発明が解決しようとする課題】
【０００６】
しかしながら、フィルタを取り付けるためにプレートやネジなどの固定金具を用いる構造では、部品点数が多くなり、その取り付け作業も煩雑になる。また、フィルタを取り付けるためのソケットやブッシュを用いる構造では、専用の部品を製造するためのコストが嵩む。本発明は、上記のような従来課題に鑑み、換気性能を低下させることなく、また、換気孔への着脱を極めて容易に行うことができる防虫換気フィルタを提供することを目的とする。
【課題を解決するための手段】
【０００７】
そこで、本発明の防虫換気用フィルタは、装着対象となる通気口の開口面積及び外形と略同一のサイズ及び外形を有する盤状（円盤状、楕円盤状又は多角盤状）に形成されると共に、少なくともその中央領域に外周辺縁域に形成された鍔部の肉厚よりも薄肉なディンプル（凹み）を有するネット構造にされた可撓性材からなることを第１の特徴とする。さらに、一端が閉じられた筒状のネットを外向きに捲回積層して外周辺縁域の鍔部を形成したことを第２の特徴とする。
【発明の効果】
【０００８】
本発明によれば、下記の優れた効果がある。
（１）ワンタッチ操作でフィルタを通気口に取り付けることができる。したがって、取り付けが簡便で、フィルタ取り付け用の固定金具などが不要となりコストも削減できる。
（２）また、フィルタは弾性変形可能であるので、加わる応力がフィルタの変形によって緩和あるいは緩衝され、無理な力が作用して破損するなどの弊害を防止できる。
（３）外気を導入するための如何なる通気口にも適用することができる。
【図面の簡単な説明】
【０００９】
【図１】本発明に係る防虫換気用フィルタを示す（ａ）は斜視図、（ｂ）は（ａ）のＡ−Ａ線断面図である。
【図２】フィルタの製作方法の一例を示す斜視図である。
【図３】フィルタを納骨室の通気口に取付けた状態を模式的に示す正面図である。
【図４】フィルタを納骨室の通気口に取付ける状態を示す斜視図である。
【発明を実施するための形態】
【００１０】
以下に、本発明の実施の形態を図面に示す実施例に基づいて説明する。
【実施例】
【００１１】
図１に示すように、本発明に係る防虫換気用フィルタ６は、装着対象となる通気口の開口面積及び外形と略同一のサイズ及び外形を有する盤状（円盤状、楕円盤状又は多角盤状）に形成されると共に、少なくともその中央領域に外周辺縁域に形成された鍔部６ａの肉厚ｔ１よりも薄肉ｔ２なディンプル（凹み）６ｂを有するネット構造にされた可撓性材から構成される。具体的には、例えば、図２に示すように、プラスチック製の有底筒状のネット基材を開放端側から外向きに捲回積層して外周辺縁域の鍔部９を形成していくと、ネット基材の底部分がフィルタ６のディンプル（凹み）６ｂに対応することになる。そこで、この中央部分を加熱融着して、巻き込まれた開放端部が解けないように固着することで製作できる。
【００１２】
図３乃至図４に本発明の係る防虫換気用フィルタ６の装着対象となる通気口を有する霊廟を示す。この霊廟は、地下から一体的に中空箱型形状に画成された納骨室５と、該納骨室５の上に載置された墓碑１とから構成されている。ここで、納骨室５の左右の壁には外部と連通する吸気口５ａ並びに排気口５ｂがそれぞれ穿設される。そして、吸気口５ａ側には、例えば、納骨室５内に蒸散される害虫忌避剤等を入れた薬剤収容タンク３が収納配置されるタンク収納ボックス４が墓碑１と一体的に形成され、排気口５ｂには、排気フード２が取付けられる。そして、この吸気口５ａに上記のフィルタ６を撓めながら嵌め込んで装着する。フィルタ６は、自らの弾性力によって吸気口５ａに付勢固定される。
【００１３】
このようにフィルタ６を吸気口５ａに装着することにより、異物である塵埃や植物の種子等の侵入を防止することができる。特にそのフィルタ６の鍔部６ａにより虫の侵入を確実に防ぐことができる。つまり、フィルタ６の鍔部６ａは相当の肉厚を有し、且つネット基材が何重にも積層されているので、虫が簡単に通り抜けたり破くことができない。そして、薄肉のディンプル（凹み）６ｂにより自然換気が妨げられることもなく、害虫忌避剤等の納骨室５内への蒸散も問題なく行うことができる。すなわち、本発明のフィルタ６は、肉厚の厚い部分と薄い部分とからなる網目構造にされているので、厚い部分で剛性及び弾性を保持でき、外力に対して頑丈であり、薄い部分で良好な通気性を得ることができる。また、その可撓性により、装着すべき通気口に適応したサイズであれば、専用の部品を用いることなく取り付けることができる。したがって、フィルタ６の交換も簡便かつ経済的に行うことができる。
【００１４】
以上、本発明の実施例を示したが、本発明は上記実施例に限定されるものではなく、本発明の要旨を逸脱しない範囲で各種の変更が可能である。例えば、上記実施例においてフィルタ６は円盤状であるが、その外形は装着する通気口に応じて楕円形、矩形、多角形としてもよい。また、材質についても特に制限はなく、繊維状のものであってもよいし、スポンジ状のものであってもよいが、可撓性を有するものであることが望ましい。
【符号の説明】
【００１５】
１      墓碑
２      排気フード
３      薬剤収納タンク
４      タンク収納ボックス
４ａ    ボックスの開閉扉
５      納骨室
５ａ    吸気口
５ｂ    排気口
６      フィルタ
６ａ    フィルタの外周鍔部
６ｂ    フィルタのディンプル
【図１】
0005700244.tif 000002
【図２】
0005700244.tif 000003
【図３】
0005700244.tif 000004
【図４】
0005700244.tif 000005